(57)【要約】【課題】  無線マルチメディア端末機とサーバとの間に介在して、無線マルチメディア端末機とサーバとの間の命令信号及びデータ伝送を主導するゲートウェイ装置を提供すること。【解決手段】  ユーザが無線マルチメディア端末機のメニュを選択して、サーバに接続しようとする信号を受信し、サーバから得た情報を発送プロトコル形式で無線マルチメディア端末機に伝送する無線マルチメディア通信部と、受信されたメッセージを判読して命令の意味を解釈する受信メッセージ判読部及びそのメッセージについての判読情報を保存する受信メッセージＤＢと、受信されたメッセージの判読結果によってサーバへの接続ログを生成する接続ログ生成部と、前記接続ログ生成部で生成された接続ログファイルを保存する統計ＤＢ及びこの統計ＤＢからデータをクイーリーして統計処理を行う統計処理部と、前記無線マルチメディア信号受信部から受信したメッセージについてのＵＲＬをマッピングする受信メッセージＵＲＬマッピング部及びこのマッピングされたＵＲＬを保存するＵＲＬＤＢと、このように設定されたＵＲＬを呼び出してサーバに接続して情報を要請するＵＲＬ呼び出し部と、接続されたサーバから当該情報を受信して無線マルチメディア通信部に伝達して、無線マルチメディア端末機に発信させる結果データリターン部及び発信されたデータを保存する発信データＤＢと、から構成される。【選択図】    図２
2007510352.tif 000002
【特許請求の範囲】
【請求項１】
情報が保存されているＤＢを含む複数のサーバのうち何れか一つに無線マルチメディア端末機（以下、“端末機”）を接続させて情報を抽出し、この情報を前記端末機に表示させるゲートウェイ装置において、
ユーザが無線マルチメディア端末機のメニュを選択して、サーバに接続しようとする信号を受信し、サーバから得た情報を発送プロトコル形式で無線マルチメディア端末機に伝送する無線マルチメディア通信部と、
受信されたメッセージを判読して命令の意味を解釈する受信メッセージ判読部及びそのメッセージについての判読情報を保存する受信メッセージＤＢと、
受信されたメッセージの判読結果によってサーバへの接続ログを生成する接続ログ生成部と、
前記接続ログ生成部で生成された接続ログファイルを保存する統計ＤＢ及びこの統計ＤＢからデータをクイーリーして統計処理を行う統計処理部と、
前記無線マルチメディア信号受信部から受信したメッセージについてのＵＲＬをマッピングする受信メッセージＵＲＬマッピング部及びこのマッピングされたＵＲＬを保存するＵＲＬ ＤＢと、
このように設定されたＵＲＬを呼び出して、サーバに接続して情報を要請するＵＲＬ呼び出し部と、
接続されたサーバから当該情報を受信して無線マルチメディア通信部に伝達し、無線マルチメディア端末機に発信させる結果データリターン部、及び発信されたデータを保存する発信データＤＢから構成されることを特徴とする無線マルチメディア端末機を利用した情報処理ゲートウェイ装置。
【請求項２】
前記受信メッセージ判読部は、無線マルチメディア端末機から入力されるデータを所定のプロトコル形式で分割する手段を備え、
前記接続ログ生成部は、入力データログファイルを生成して保存し、受信処理ルーチンを呼び出す手段を備えることを特徴とする請求項１に記載の無線マルチメディア端末機を利用した情報処理ゲートウェイ装置。
【請求項３】
前記受信処理ルーチンは、
入力データから分析された分析データのメッセージ部分のプロトコルを照会して、プロトコル形式で入力データを分離する手段と、
分離されたメッセージからプロトコルに相当するＵＲＬを抽出し、呼び出すＵＲＬについての結果受信データを無線マルチメディア用のデータに変換する手段と、
データ変換手段により処理されたメッセージを発信するデータ発信手段と、を備えることを特徴とする請求項２に記載の無線マルチメディア端末機を利用した情報処理ゲートウェイ装置。
【請求項４】
前記無線マルチメディア用のデータ変換手段は、メッセージプロトコルでデータ変換パラメータ（基準）を照会して、当該基準のパラメータによってデータを変換する手段を備えることを特徴とする請求項３に記載の無線マルチメディア端末機を利用した情報処理ゲートウェイ装置。
【請求項５】
前記データ発信手段は、データ発信パラメータを照会して、この発信パラメータに基づいて前記無線マルチメディア用のデータ変換手段が変換したデータを発信する手段、及び発信されたデータを発信ログファイルとして前記発信データＤＢに保存する手段を備えることを特徴とする請求項３に記載の無線マルチメディア端末機を利用した情報処理ゲートウェイ装置。
【発明の詳細な説明】
【技術分野】
【０００１】
本発明は、無線マルチメディア端末機を通じてサーバに接続して、サーバから情報を抽出して端末機に表示させるゲートウェイ装置に関する。
【背景技術】
【０００２】
移動通信技術の発展及び移動通信端末機の普及が拡大するにつれて、国内外的に移動通信端末機を利用した各種の情報処理技術が研究開発されている。
【０００３】
移動通信端末機（例えば、携帯電話、ＰＤＡ等）は、現在大勢の人々が所有しており、既存のマグネチックカードやＩＣカードなどとは異なり、積極的にホストと双方向通信が可能であるという点で各種の情報処理サービスに有効な装備である。
【０００４】
たとえば、移動通信端末機で無線インターネット網を利用して各種のＣＰ（Ｃｏｎｔｅｎｔ Ｐｒｏｖｉｄｅｒ）に接続して多様な情報を習得できることはもとより、各種の情報処理（例えば、ショッピング、チケットの前売り、学校での成績の照会、受講申請、行政庁での証明書の発給など）が行える。さらに、最近には、マルチメディアサービスを支援する無線マルチメディア端末機（マルチパック端末機とも称す）が商用化されて、さらに手軽に情報処理サービスが行える。
【０００５】
このように移動通信を利用して情報処理を行うためには、移動通信事業者が構築したシステムと移動通信端末機との間で両者のシステムをインターフェースするゲートウェイ手段が必要である。
【発明の開示】
【発明が解決しようとする課題】
【０００６】
本発明の目的は、無線マルチメディア端末機とサーバとの間に介在して、無線マルチメディア端末機とサーバとの間の命令信号及びデータ伝送を主導するゲートウェイ装置を提供することである。
【課題を解決するための手段】
【０００７】
前記目的を達成するために、本発明に係る無線マルチメディア端末機を利用した情報処理ゲートウェイ装置は、ユーザが無線マルチメディア端末機のメニュを選択してサーバに接続しようとする信号を受信し、サーバから得た情報を発送プロトコル形式で無線マルチメディア端末機に伝送する無線マルチメディア通信部と、受信されたメッセージを判読して命令の意味を解釈する受信メッセージ判読部及びそのメッセージについての判読情報を保存する受信メッセージＤＢ（Ｄａｔａｂａｓｅ）と、受信されたメッセージの判読結果によってサーバへの接続ログを生成する接続ログ生成部と、前記接続ログ生成部で生成された接続ログファイルを保存する統計ＤＢ及びこの統計ＤＢからデータをクイーリーして統計処理を行う統計処理部と、前記無線マルチメディア信号受信部から受信したメッセージについてのＵＲＬ（Ｕｎｉｆｏｒｍ Ｒｅｓｏｕｒｃｅ Ｌｏｃａｔｏｒ）をマッピングする受信メッセージＵＲＬマッピング部及びこのマッピングされたＵＲＬを保存するＵＲＬ ＤＢと、このように設定されたＵＲＬを呼び出してサーバに接続し、情報を要請するＵＲＬ呼び出し部と、接続されたサーバから当該情報を受信して無線マルチメディア通信部に伝達し、無線マルチメディア端末機に発信させる結果データリターン部及び発信されたデータを保存する発信データＤＢから構成される。
【発明の効果】
【０００８】
本発明によれば、その普及が拡大しつつある無線マルチメディア端末機を利用して、サーバから所望の情報データが遠隔地で照会または処理できるため、各種の行政業務や情報提供サービスなどを容易に提供できる。
【発明を実施するための最良の形態】
【０００９】
図１は、本発明に係るゲートウェイ装置を利用した全体システムの機能的な構成図である。（１）無線マルチメディア端末機１００を利用して、情報を所望のサーバ３００に接続するメニュを選択すれば、（２）ゲートウェイ装置２００ではこれを受信して、当該ＵＲＬのサーバを呼び出し、ユーザが選択したメニュによってサーバ３００に連結された各種のＤＢ ３０２に保存されているデータを抽出する。（３）サーバ３００から抽出されてゲートウェイ２００に伝達された結果メッセージは、無線マルチメディア端末機用のフォーマットに変換されて無線マルチメディア端末機１００に伝送され、（４）伝送されたメッセージが無線マルチメディア端末機から出力される。（５）一方、処理されたデータは、ゲートウェイ２００で統計処理されるために、統計情報として統計ＤＢ ２６０に保存される。
【００１０】
概略的に、本発明に係るゲートウェイ装置の動作を説明すれば、次の通りである。本発明に係るゲートウェイ装置は、ユーザが要請した無線マルチメディアデータを認知して、サーバから当該データを取り込んだ後、無線マルチメディアデータ形態に変換してユーザに送る役割を行う。ゲートウェイ装置の全体的なデータ処理ルーチンは、次の通りである。１）ユーザ個人の無線マルチメディア端末機と連結（ソケットまたはｈｔｔｐ通信）、２）ユーザからサービス要請を受ける（ＯＰ−ｃｏｄｅ認知）、３）接続統計ログを残す、４）要請したサービスに対する実際のサーバ及び当該ＵＲＬを把握、５）実際のサーバＵＲＬを呼び出して結果値を抽出、６）無線マルチメディアプロトコルに基づいたフォーマットにデータを変換、６）ユーザにデータを発送。
【００１１】
図２は、本発明に係るシステムの具体的な構成を示す。無線マルチメディア端末機１００とサーバ３００との間にゲートウェイ装置２００が介在されているということが分かる。サーバ３００には、各種の情報データが保存されているＤＢサーバ３０２が含まれる。サーバは、既存の全てのプラットホーム（Ｗｉｎｄｏｗｓ(登録商標)、ＵＮＩＸ(登録商標)、ＬＩＮＵＸ等）基盤の有線／無線ウェブサイトを活用して構築する。無線マルチメディア端末機１００には、前記サーバ３００に接続するメニュ及びサーバ３００から取り込む必要のあるデータを選択するメニュなどの機能が装着されている。
【００１２】
図２で、本発明のゲートウェイ装置２００は、ユーザが無線マルチメディア端末機１００のメニュを選択して、サーバに接続しようとする信号を受信し、サーバから得た情報を発送プロトコル形式で無線マルチメディア端末機１００に伝送する無線マルチメディア通信部２０２と、受信されたメッセージを判読して命令の意味を解釈する受信メッセージ判読部２０４と、そのメッセージについての判読情報を保存する受信メッセージＤＢ２５０と、受信されたメッセージの判読結果によってサーバへの接続ログを生成する接続ログ生成部２０６と、前記接続ログ生成部２０６で生成された接続ログファイルを保存する統計ＤＢ ２５４及びこの統計ＤＢ ２５４からデータをクイーリーして統計処理を行う統計処理部２１４と、前記無線マルチメディア信号受信部２０２で受信したメッセージについてのＵＲＬをマッピングする受信メッセージＵＲＬマッピング部２０８及びこのマッピングされたＵＲＬを保存するＵＲＬ ＤＢ ２５２と、このように設定されたＵＲＬを呼び出してサーバ３００に接続して情報を要請するＵＲＬ呼び出し部２１０と、接続されたサーバから当該情報を受信して無線マルチメディア通信部２０２に伝達して無線マルチメディア端末機１００に発信させる結果データリターン部２１２及び発信されたデータを保存する発信データＤＢ ２５６とから構成される。
【００１３】
以下、前記主要構成要素の作用を説明する。
【００１４】
図３で、前記受信メッセージ判読部２０４及び接続ログ生成部２０６では、無線マルチメディア端末機から入力されるデータを分析して（すなわち、所定のプロトコル形式でデータを分割して）入力データログファイルを生成、保存及び受信処理ルーチンを呼び出す動作を行う。
【００１５】
受信処理ルーチンは、図４のように作用する。まず、入力データから分析された分析データのメッセージ部分のプロトコルを照会して、プロトコル形式で入力データを分離する。分離されたメッセージからプロトコルに相当するＵＲＬを抽出し、呼び出すＵＲＬについての結果受信データを無線マルチメディア用のデータに変換するために当該ルーチンを呼び出す。データ変換ルーチンにより処理されたメッセージは、データ発信ルーチンにより処理されて発送される。
【００１６】
前記無線マルチメディア用のデータ変換ルーチンは、図５のように作用する。メッセージプロトコルでデータ変換パラメータ（基準）を照会して、当該基準のパラメータによってデータを変換する。また、前記データ発信処理ルーチンは、図６のように作用する。まず、データ発信パラメータを照会し、この発信パラメータに基づいて前記図５で変換したデータを発信する。発信されたデータは、発信ログファイルとしてＤＢ ２５６に保存される。
【産業上の利用可能性】
【００１７】
本発明に係るゲートウェイ装置は、多様な用途として使用できる。たとえば、学事行政に適用する場合、マルチメディア型の携帯電話（マルチパック端末機）を利用して無線インターネットを通じて学校に構築されたサーバのホームページに接続して、成績照会及び受講申請などの学事行政サービスが行える。また、無線マルチメディア端末機にバーコードなどの特定の表紙を内蔵すれば、既存のプラスチック学生証の代りに携帯電話を利用して図書館の出入り、商品購買、図書の貸出などのサービスが手軽に行える。このように学事行政業務に本発明のゲートウェイ装置の技術的な原理を具現することは、本発明の構成に基づいて当業者が容易に実施できる。
【図面の簡単な説明】
【００１８】
【図１】本発明の概略的な機能説明図である。
【図２】本発明に係るゲートウェイ装置の構成図である。
【図３】図２の各ブロックの作用を説明するフローチャートである。
【図４】図２の各ブロックの作用を説明するフローチャートである。
【図５】図２の各ブロックの作用を説明するフローチャートである。
【図６】図２の各ブロックの作用を説明するフローチャートである。
【図１】
2007510352.tif 000003
【図２】
2007510352.tif 000004
【図３】
2007510352.tif 000005
【図４】
2007510352.tif 000006
【図５】
2007510352.tif 000007
【図６】
2007510352.tif 000008
【国際調査報告】
2007510352.tif 000009
2007510352.tif 000010